【事件の表示】
　特許第５８４４８４７号発明「キャリア基板分離システム及び分離方法」の特許異議申立事件について、次のとおり決定する。
【結　論】
　特許第５８４４８４７号の特許請求の範囲を本件訂正請求書に添付した特許請求の範囲のとおり、訂正後の請求項１ないし９について訂正することを認める。
　本件特許異議の申立てを却下する。
【理　由】
第１　手続の経緯
　本件特許第５８４４８４７号は、平成２６年５月２３日（パリ条約による優先権主張　２０１３年５月２４日　韓国）に出願されたものであって、平成２７年１１月２７日に特許の設定登録がなされ、平成２８年１月２０日に特許掲載公報が発行され、その後、平成２８年７月１５日付けで、その請求項１及び請求項６に係る特許に対し、特許異議申立人高橋昌嗣により特許異議の申立てがなされ、同年９月２９日付け（発送日１０月６日）で取消理由が通知され、その指定期間（延長期間を含む）内である同年１２月２７日付けで意見書が提出され、平成２９年１月２０日付け（発送日１月２４日）で取消理由の通知（決定の予告）がなされ、その指定期間内である同年４月２４日付けで意見書の提出及び訂正の請求がなされたものである。
　
第２　訂正の適否についての判断
１　訂正の内容
　平成２９年４月２４日付けでなされた訂正の請求（以下「本件訂正請求」という。）による訂正の内容は、次の（１）ないし（７）のとおりである。
（１）訂正事項１
　特許請求の範囲の請求項１を削除する。
（２）訂正事項２
　特許請求の範囲の請求項２に
「前記ローディング装置から移送された前記製造基板、前記第１キャリア基板または前記第２キャリア基板のいずれか一方が分離された前記製造基板、前記第１キャリア基板、前記第２キャリア基板のうち少なくともいずれかが積載されているステージをさらに含み、
　前記ロボットは、前記ローディング装置と前記ステージとの間に配置される第１ロボットと、前記ギャップ形成装置と前記分離装置との間に配置される第２ロボットとを含む、請求項１に記載のキャリア基板分離システム。」とあるのを
「
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、
　前記ローディング装置から移送された前記製造基板、前記第１キャリア基板または前記第２キャリア基板のいずれか一方が分離された前記製造基板、前記第１キャリア基板、前記第２キャリア基板のうち少なくともいずれかが積載されているステージ
と、を
　前記ロボットは、前記ローディング装置と前記ステージとの間に配置される第１ロボットと、前記ギャップ形成装置と前記分離装置との間に配置される第２ロボットとを含む
、
（３）訂正事項３
　特許請求の範囲の請求項３に
「前記ギャップ形成装置は、
　前記製造基板を支持する支持部と、
　前記製造基板の外郭方向に、前記貼り合わせ基板よりさらに突出している前記第１キャリア基板または前記第２キャリア基板の突出部を、前記貼り合わせ基板から分離させるための分離部とを含む、請求項１に記載のキャリア基板分離システム。」とあるのを
「
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、
　前記ギャップ形成装置は、
　前記製造基板を支持する支持部と、
　前記製造基板の外郭方向に、前記貼り合わせ基板よりさらに突出している前記第１キャリア基板または前記第２キャリア基板の突出部を、前記貼り合わせ基板から分離させるための分離部とを含む
、
（４）訂正事項４
　特許請求の範囲の請求項６を削除する。
（５）訂正事項５
　特許請求の範囲の請求項７に
「前記第２ステージから前記第１ステージの外郭方向に突出するように前記第２ステージに結合されており、前記第２ステージの外郭に沿って閉ループを形成するオーリングをさらに含む、請求項６に記載のキャリア基板分離システム。」とあるのを
「
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　
前記分離装置は、
　
前記製造基板を支持するための第１ステージと、
　
前記第１ステージから離隔して設置される第２ステージと、
　
前記第２ステージに形成された吸着孔に連結されるように前記第２ステージに設置され、前記貼り合わせ基板から前記第１のキャリア基板および前記第２のキャリア基板を分離するために、前記吸着孔を介して前記第１のキャリア基板および前記第２のキャリア基板を吸着する吸着部と、
　
前記第１ステージに形成された吸入孔に連結されるように前記第１ステージに設置され、前記製造基板を前記第１ステージに密着させるために、前記吸入孔を介して前記製造基板を吸入する吸入部と、を含み、
　前記第２ステージから前記第１ステージの外郭方向に突出するように前記第２ステージに結合されており、前記第２ステージの外郭に沿って閉ループを形成するオーリングをさらに含む
、
（６）訂正事項６
　特許請求の範囲の請求項８に
「前記第１ステージと前記第２ステージとの間に挿入されて、前記第１ステージと前記第２ステージとの間隔を一定に維持させるためのギャップ調整部をさらに含む、請求項６に記載のキャリア基板分離システム。」とあるのを
「
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　
前記分離装置は、
　
前記製造基板を支持するための第１ステージと、
　
前記第１ステージから離隔して設置される第２ステージと、
　
前記第２ステージに形成された吸着孔に連結されるように前記第２ステージに設置され、前記貼り合わせ基板から前記第１のキャリア基板および前記第２のキャリア基板を分離するために、前記吸着孔を介して前記第１のキャリア基板および前記第２のキャリア基板を吸着する吸着部と、
　
前記第１ステージに形成された吸入孔に連結されるように前記第１ステージに設置され、前記製造基板を前記第１ステージに密着させるために、前記吸入孔を介して前記製造基板を吸入する吸入部と、を含み、
　前記第１ステージと前記第２ステージとの間に挿入されて、前記第１ステージと前記第２ステージとの間隔を一定に維持させるためのギャップ調整部をさらに含む
、
（７）訂正事項７
　特許請求の範囲の請求項９に
「前記第１ステージと前記第２ステージとの間に挿入されて、前記第１キャリア基板又は前記第２キャリア基板が分離された前記貼り合わせ基板に接触して、前記貼り合わせ基板から静電気を除去するための静電気除去部をさらに含む、請求項６に記載のキャリア基板分離システム。」とあるのを
「
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　
前記分離装置は、
　
前記製造基板を支持するための第１ステージと、
　
前記第１ステージから離隔して設置される第２ステージと、
　
前記第２ステージに形成された吸着孔に連結されるように前記第２ステージに設置され、前記貼り合わせ基板から前記第１のキャリア基板および前記第２のキャリア基板を分離するために、前記吸着孔を介して前記第１のキャリア基板および前記第２のキャリア基板を吸着する吸着部と、
　
前記第１ステージに形成された吸入孔に連結されるように前記第１ステージに設置され、前記製造基板を前記第１ステージに密着させるために、前記吸入孔を介して前記製造基板を吸入する吸入部と、を含み、
　前記第１ステージと前記第２ステージとの間に挿入されて、前記第１キャリア基板又は前記第２キャリア基板が分離された前記貼り合わせ基板に接触して、前記貼り合わせ基板から静電気を除去するための静電気除去部をさらに含む
、
　
２　訂正の目的の適否、一群の請求項、新規事項の有無、及び特許請求の範囲の拡張・変更の存否
（１）訂正事項１及び４について
　訂正事項１及び４は、それぞれ、請求項１及び６を削除するものであるから、特許請求の範囲の減縮を目的とするものであって、新規事項の追加に該当せず、また、実質上特許請求の範囲を拡張し、又は変更するものではない。すなわち、特許法第１２０条の５第２項但し書き第１号に掲げる事項を目的とするものであり、かつ同条第９項において準用する第１２６条第５項及び第６項の規定に適合するものである。なお、請求項１及び６は、特許異議申立てがなされた請求項であるから、第１２０条の５第９項で読み替えて準用する第１２６条第７項の独立特許要件は課されない。
（２）訂正事項２，３，５〜７について
　訂正事項２，３，５〜７は、いずれも、他の請求項の記載を引用する請求項の記載を当該他の請求項の記載を引用しないものとすることを目的とするものであって、新規事項の追加に該当せず、また、実質上特許請求の範囲を拡張し、又は変更するものではない。すなわち、特許法第１２０条の５第２項但し書き第４号に掲げる事項を目的とするものであり、かつ同条第９項において準用する第１２６条第５項及び第６項の規定に適合するものである。なお、訂正事項２，３，５〜７は、特許法第１２０条の５第２項但し書き第１号又は第２号に掲げる事項を目的とするものではないから、第１２０条の５第９項で読み替えて準用する第１２６条第７項の独立特許要件は課されない。
（３）小活
　以上のとおりであるから、本件訂正請求による訂正は特許法第１２０条の５第２項第１号又は第４号に掲げる事項を目的とするものであり、かつ、同条第９項において準用する同法第１２６条第４項から第６項までの規定に適合するので、訂正後の請求項１ないし９についての訂正を認める。
第３　特許異議の申立てについて
　本件訂正請求により訂正された請求項１及び６に係る発明は、削除されたため、本件特許異議申立ては、その対象が存在しないこととなった。したがって、本件特許異議申立ては、特許法第１２０条の８で準用する同法第１３５条の規定により却下すべきものである。
　よって、結論のとおり決定する。
【異議決定日】
平成２９年５月１６日（２０１７．５．１６）
【訂正の要旨】
審決（決定）の【理由】欄参照。
（５７）【特許請求の範囲】
　【請求項１】（削除）
　【請求項２】
　
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、
　前記ローディング装置から移送された前記製造基板、前記第１キャリア基板または前記第２キャリア基板のいずれか一方が分離された前記製造基板、前記第１キャリア基板、前記第２キャリア基板のうち少なくともいずれかが積載されているステージ
と、を
　前記ロボットは、前記ローディング装置と前記ステージとの間に配置される第１ロボットと、前記ギャップ形成装置と前記分離装置との間に配置される第２ロボットとを含む
、
　【請求項３】
　
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　前記ギャップ形成装置は、
　前記製造基板を支持する支持部と、
　前記製造基板の外郭方向に、前記貼り合わせ基板よりさらに突出している前記第１キャリア基板または前記第２キャリア基板の突出部を、前記貼り合わせ基板から分離させるための分離部とを含む
、
　【請求項４】
　前記ギャップ形成装置は、
　前記突出部と前記分離部とを整列させるためのアライン部をさらに含む、請求項３に記載のキャリア基板分離システム。
　【請求項５】
　前記ギャップ形成装置は、
　前記分離部によって、前記第１キャリア基板または前記第２キャリア基板の突出部と前記貼り合わせ基板との間に形成されたギャップに挿入される挿入部をさらに含む、請求項３に記載のキャリア基板分離システム。
　【請求項６】（削除）
　【請求項７】
　
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　
前記分離装置は、
　
前記製造基板を支持するための第１ステージと、
　
前記第１ステージから離隔して設置される第２ステージと、
　
前記第２ステージに形成された吸着孔に連結されるように前記第２ステージに設置され、前記貼り合わせ基板から前記第１のキャリア基板および前記第２のキャリア基板を分離するために、前記吸着孔を介して前記第１のキャリア基板および前記第２のキャリア基板を吸着する吸着部と、
　
前記第１ステージに形成された吸入孔に連結されるように前記第１ステージに設置され、前記製造基板を前記第１ステージに密着させるために、前記吸入孔を介して前記製造基板を吸入する吸入部と、を含み、
　前記第２ステージから前記第１ステージの外郭方向に突出するように前記第２ステージに結合されており、前記第２ステージの外郭に沿って閉ループを形成するオーリングをさらに含む
、
　【請求項８】
　
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　
前記分離装置は、
　
前記製造基板を支持するための第１ステージと、
　
前記第１ステージから離隔して設置される第２ステージと、
　
前記第２ステージに形成された吸着孔に連結されるように前記第２ステージに設置され、前記貼り合わせ基板から前記第１のキャリア基板および前記第２のキャリア基板を分離するために、前記吸着孔を介して前記第１のキャリア基板および前記第２のキャリア基板を吸着する吸着部と、
　
前記第１ステージに形成された吸入孔に連結されるように前記第１ステージに設置され、前記製造基板を前記第１ステージに密着させるために、前記吸入孔を介して前記製造基板を吸入する吸入部と、を含み、
　前記第１ステージと前記第２ステージとの間に挿入されて、前記第１ステージと前記第２ステージとの間隔を一定に維持させるためのギャップ調整部をさらに含む
、
　【請求項９】
　
第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板がローディングされるローディング装置と、
　
前記第１パネル基板と前記第１キャリア基板との間にギャップを形成するか、または前記第２パネル基板と前記第２キャリア基板との間にギャップを形成するギャップ形成装置と、
　
前記ギャップ形成装置から移送された前記製造基板から、前記第１キャリア基板または前記第２キャリア基板を分離させる分離装置と、
　
前記ローディング装置、前記ギャップ形成装置、前記分離装置の間で前記製造基板を移送するためのロボットと、を含み、
　
前記分離装置は、
　
前記製造基板を支持するための第１ステージと、
　
前記第１ステージから離隔して設置される第２ステージと、
　
前記第２ステージに形成された吸着孔に連結されるように前記第２ステージに設置され、前記貼り合わせ基板から前記第１のキャリア基板および前記第２のキャリア基板を分離するために、前記吸着孔を介して前記第１のキャリア基板および前記第２のキャリア基板を吸着する吸着部と、
　
前記第１ステージに形成された吸入孔に連結されるように前記第１ステージに設置され、前記製造基板を前記第１ステージに密着させるために、前記吸入孔を介して前記製造基板を吸入する吸入部と、を含み、
　前記第１ステージと前記第２ステージとの間に挿入されて、前記第１キャリア基板又は前記第２キャリア基板が分離された前記貼り合わせ基板に接触して、前記貼り合わせ基板から静電気を除去するための静電気除去部をさらに含む
、
　【請求項１０】
　第１パネル基板及び第２パネル基板を有する貼り合わせ基板と、前記第１パネル基板に貼り合わせられた第１キャリア基板と、前記第２パネル基板に貼り合わせられた第２キャリア基板とを有する製造基板を、ギャップ形成装置に移送させ、前記第１パネル基板に付着している前記第１キャリア基板と前記第１パネル基板との間に第１ギャップを形成するステップと、
　前記第１ギャップが形成されている前記製造基板を分離装置に移送させ、前記第１キャリア基板を前記第１パネル基板から分離させるステップと、
　前記第１キャリア基板が分離された前記製造基板を前記ギャップ形成装置に移送させ、前記第２パネル基板に付着している前記第２キャリア基板と前記第２パネル基板との間に第２ギャップを形成するステップと、
　前記第２ギャップが形成されている前記製造基板を前記分離装置に移送させ、前記第２キャリア基板を前記第２パネル基板から分離させるステップとを含む、キャリア基板分離方法。